(57)【特許請求の範囲】
【請求項１】
インストルメントパネルに複数の貫通孔を開け、インストルメントパネルの表裏に各々配置する表面取付部材と裏面取付部材とを前記貫通孔を介して結合したインストルメントパネル取付部品において、
前記表面取付部材から仮止め爪及び結合用突起を突出させ、前記仮止め爪を前記貫通孔に掛け止めすることで表面取付部材をインストルメントパネルに仮止めするとともに、前記結合用突起を貫通孔を介して裏へ突出させ、この結合用突起の先端を前記裏面取付部材に結合させたインストルメントパネル取付部品であって、
前記結合用突起の先端と前記裏面取付部材とは、振動溶着により結合させたことを特徴とするインストルメントパネルの結合構造。
【請求項２】
インストルメントパネルに複数の貫通孔を開けるとともに裏面に凸部を設け、インストルメントパネルの表に取付ける表面取付部材から仮止め爪及び結合用突起を突出させ、前記仮止め爪を前記貫通孔に掛け止めすることで表面取付部材をインストルメントパネルに仮止めするとともに、前記結合用突起を貫通孔を介して裏へ突出させ、この結合用突起の先端並びに前記凸部を、インストルメントパネルの裏に取付ける裏面取付部材に振動溶着により結合させるときに、溶着前には前記凸部より結合用突起を大きく突出させることを特徴とするインストルメントパネル取付部品の結合構造。
【発明の詳細な説明】
【０００１】
【発明の属する技術分野】
本発明は、インストルメントパネルの表裏にそれぞれ表面取付部材及び裏面取付部材を組付けるインストルメントパネル取付部品の結合構造に関する。
【０００２】
【従来の技術】
車両の車室前側に備えるインストルメントパネル（以下、「インパネ」と略記する）の例として、実公平３−２３８９１号公報「セーフテイパッドの取付構造」が開示されている。この技術によれば、インパネをインパネ本体とセーフテイパッドとに分け、インパネ本体を樹脂材で一体成形し、セーフテイパッドを樹脂製の基部層とウレタンフォーム製の表皮層とで二層構成とする。
【０００３】
インパネ本体にセーフテイパッドを組付ける際には、インパネ本体の取付用の孔にセーフテイパッドの舌状係止片を挿入し、挿入した舌状係止片の突起を孔の開口縁に係合させて仮止する。その後、舌状係止片を折曲げることにより組付け作業は完了する。
この技術によれば、取付け孔に舌状係止片を差込んだ後、舌状係止片を折曲げるだけでインパネ本体にセーフテイパッドを簡単に組付けることができる。
【０００４】
一方、インパネのエンジンルーム側（裏面側）には空調用ダクトを組付ける。インパネに空調用ダクトを組付ける例として、特開平１１−３２１２８７号公報「空調用ダクト及び空調用ダクトの製造・取付方法」が開示されている。
この技術によれば、インパネの裏面に空調用ダクトの脚部を当接し、インパネの裏面に脚部を振動溶着することにより、インパネに空調用ダクトを簡単に組付けることができる。
【０００５】
【発明が解決しようとする課題】
しかし、従来の技術では、インパネ本体にセーフテイパッドを組付ける工程と、インパネの裏面に空調用ダクトを組付ける工程とを、それぞれ別工程で実施しているので作業工数が多く、セーフテイパッドや空調用ダクトの組付け作業に手間がかかっていた。
【０００６】
また、セーフテイパッドを取付けるためのパッド組付け部位をインパネ本体の表面側に確保する必要があり、空調用ダクトを取付けるためのダクト組付け部位をインパネ本体の裏面側に確保する必要がある。
しかし、パッド組付け部位やダクト取付け部位は、インパネ本体の比較的狭い箇所に確保する必要があるので、それぞれの部位を十分に確保することが難しい。このため、これらの部材を設計する際の設計の自由度が制限され、設計にかける時間は比較的長くなる。
このように、組付け作業に手間がかかることや、設計に比較的時間がかかることがコストを下げる妨げになる。
【０００７】
そこで、本発明の目的は、組付け作業にかける手間を減らすことができ、さらに設計にかける時間を減らすことができるインストルメントパネル取付部品の結合構造を提供することにある。
【０００８】
【課題を解決するための手段】
上記目的を達成するために請求項１は、インストルメントパネルに複数の貫通孔を開け、インストルメントパネルの表裏に各々配置する表面取付部材と裏面取付部材とを前記貫通孔を介して結合させたことを特徴とする。
【０００９】
インストルメントパネルに複数の貫通孔を開けることで、表面取付部材及び裏面取付部材のいずれか一方の部材を、貫通孔を介して他方の部材側に突合せることができる。
突合せた両部材を結合することで、表面取付部材と裏面取付部材とでインストルメントパネルを挟込み、表面取付部材、裏面取付部材及びインストルメントパネルを一体に組付けることができる。
加えて、インストルメントパネルに複数の貫通孔を開けるだけで表面取付部材及び裏面取付部材を組付けることができるので、インストルメントパネルの形状の簡略化を図ることができる。
【００１０】
また、請求項１は、表面取付部材から仮止め爪及び結合用突起を突出させ、仮止め爪を貫通孔に掛け止めすることで表面取付部材をインストルメントパネルに仮止めするとともに、結合用突起を貫通孔を介して裏へ突出させ、この結合用突起の先端を裏面取付部材に結合させたことを特徴とする。
【００１１】
表面取付部材の仮止め爪を貫通孔に掛け止めすることで、表面取付部材をインストルメントパネルに簡単に仮止めすることができる。このため、表面取付部材の結合用突起を裏面取付部材に手間をかけないで簡単に結合することができる。
【００１２】
さらに、請求項１において、前記結合用突起の先端と前記裏面取付部材とは、振動溶着により結合させたことを特徴とする。
【００１３】
結合用突起の先端と裏面取付部材とを振動溶着で結合することで、例えばリベットやビスなどの取付部材を不要にして構成部品数を減らすことができる。このため、表面取付部材及び裏面取付部材を結合する際に組付工数を減らし、表面取付部材及び裏面取付部材を１工程で同時にインストルメントパネルに組付けることができる。
【００１４】
請求項２は、インストルメントパネルに複数の貫通孔を開けるとともに裏面に凸部を設け、インストルメントパネルの表に取付ける表面取付部材から仮止め爪及び結合用突起を突出させ、仮止め爪を貫通孔に掛け止めすることで表面取付部材をインストルメントパネルに仮止めするとともに、結合用突起を貫通孔を介して裏へ突出させ、この結合用突起の先端並びに凸部を、インストルメントパネルの裏に取付ける裏面取付部材に振動溶着により結合させるときに、溶着前には凸部より結合用突起を大きく突出させることを特徴とする。
【００１５】
表面取付部材の結合用突起を裏面取付部材に振動溶着で結合することで、表面取付部材と裏面取付部材とでインストルメントパネルを挟み込んで支えることができる。
加えて、振動溶着の際に同時に、インストルメントパネルの凸部を裏面取付部材に振動溶着で結合することができるので、表面取付部材、裏面取付部材及びインストルメントパネルを強固に組付けることができる。
【００１６】
また、結合用突起の突出高さを凸部より大きく突出させることで、結合用突起の先端を裏面取付部材に簡単に突き当てることができる。このため、結合用突起を裏面取付部材に手間をかけないで簡単に振動溶着で結合することができる。
【００１７】
【発明の実施の形態】
本発明の実施の形態を添付図面に基づいて以下に説明する。ここで、「前」、「後」、「左」、「右」は運転者から見た方向に従う。なお、図面は符号の向きに見るものとする。
図１は本発明に係るインストルメントパネル取付部品の結合構造（第１実施形態）の分解斜視図である。
インストルメントパネル取付部品の結合構造１０は、車両（図示しない）の車室前側に備えるインパネ１１と、このインパネ１１の表面（車室側面）に組付けるセーフティパッド４０及び収容ケース（表面取付部材）５０と、インパネ１１の裏（エンジンルーム側面）に組付ける空調用ダクト（裏面取付部材）７０とからなる。
【００１８】
インパネ１１は、セーフティパッド４０、収容ケース５０及び空調用ダクト７０は、それぞれオレフィン系の熱可塑性樹脂で形成した部材である。これらの部材１１，４０，５０，７０を熱可塑性樹脂で成形することでそれぞれを振動溶着で結合することが可能になる。
以下、インパネ１１、セーフティパッド４０、収容ケース５０及び空調用ダクト７０について詳しく説明する。
【００１９】
図２は第１実施形態のインストルメントパネルを示す斜視図である。
インパネ１１は、表面１２が稜線となるように断面略く字形に形成した部材であって、表面１２の稜線に沿ってパッド取付部１３を備え、パッド取付部１３の中央に中央開口１５を備え、パッド取付部１３の左右端にそれぞれ左右の開口１６，１７を備える。
【００２０】
パッド取付部１３は、セーフティパッド４０（図１に示す）を受入れる部位であり、中央開口１５から左端まで延びる左受入れ凹部２１を備え、中央開口１５の右側にケース収容部２２を備え、このケース収容部２２の右側に右受入れ凹部２３を備える。
ケース収容部２２は、左受入れ凹部２１より前方に大きく窪んだ部位である。
【００２１】
中央開口１５は、略逆台形状に形成した開口であって、各種メータ類、各種警告灯を組付けるとともに、図１に示す中央空調用ダクトの吹出口を臨ませるための空間である。この中央開口１５の上方には一対の上貫通孔２４ａ，２４ａを備え、中央開口１５の下方には一対の下貫通孔２４ｂ，２４ｂを備える。また、中央開口１５の右側には仮止め孔２５を備える。
【００２２】
左受入れ凹部２１の上縁２１ａに沿って左端側から中央に向けて４個の上貫通孔２６ａ・・・を備え、中央側の上貫通孔２６ａに隣接して１個の上仮止め孔２７ａを備え、左受入れ凹部２１の下縁２１ｂに沿って左端側から中央に向けて４個の下貫通孔２６ｂ・・・を備え、中央側の下貫通孔２６ｂに隣接して１個の下仮止め孔２７ｂを備え、左開口１６の左縁には仮止め孔２８を備える。
【００２３】
収容部２２の底部３１には底部開口３１ａを備え、この底部開口３１ａの上方に上貫通孔３２ａ・・・を備え、底部開口３１ａの下方に下貫通孔３２ｂ，３２ｂを備える。
さらに、収容部２２の底部３１のには上貫通孔３２ａ・・・の上方に収容ケース６０（図１に示す）を組付けるための一対の貫通孔３３，３３を備える。
右受入れ凹部２３の上縁２３ａ側に上貫通孔２９ａを備え、右受入れ凹部２３の下縁２３ｂ側に下貫通孔２９ｂを備え、右開口１７の右縁には仮止め孔３０を備える。
【００２４】
図３は第１実施形態のセーフティパッドを示す斜視図である。
表面取付部材としてのセーフティパッド４０は、図１に示すインパネ１１のパッド取付部１３に組付ける部材であり、中央パッド部４１には比較的大きなパッド中央開口４２を備え、この中央パッド部４１から左端まで延びる左パッド部４３を備え、中央パッド部４１の右側に収容ケース６０（図１に示す）を受入れるケース受入部４４を備え、このケース受入部４４の右側に右パッド部４５を備える。
【００２５】
パッド中央開口４２は、インパネ１１の中央開口１５と同様に略逆台形状に形成した開口であって、計器類を収容するとともに、中央空調用ダクトの吹出口を臨ませるための開口である。このパッド中央開口４２の上方には一対の上結合用突起４６ａ，４６ａを備え、中央開口１５の下方には一対の下結合用突起４６ｂ，４６ｂを備える。さらに、パッド中央開口４２の右側には仮止め爪４７を備える。
【００２６】
左パッド部４３の上縁４３ａに沿って左端側から中央に向けて４個の上結合用突起４８ａ・・・を備え、中央側の上結合用突起４８ａに隣接して１個の上仮止め爪４９ａを備え、左パッド部４３の下縁４３ｂに沿って左端側から中央に向けて４個の下結合用突起４８ｂ・・・を備え、中央側の下結合用突起４８ｂに隣接して１個の下仮止め爪４９ｂを備え、左パッド部４３の左端には縦長のパッド左開口５１を備え、パッド左開口５１の左縁には仮止め爪５２を備える。
【００２７】
ケース受入部４４の底部５３には底部開口５３ａを備え、この底部開口５３ａの上方に上結合用突起５４ａ・・・を備え、底部開口５３ａの下方に一対の下結合用突起５４ｂ，５４ｂを備える。
右パッド部４５の上縁４５ａに上結合用突起５５ａを備え、右パッド部４５の下縁４５ｂに下結合用突起５５ｂを備え、上下の結合用突起５５ａ，５５ｂの間に縦長の右開口５６を備え、右開口５６の右縁には仮止め爪５７を備える。
【００２８】
上下の結合用突起４６ａ，４６ｂ，４８ａ，４８ｂ，５４ａ，５４ｂ及び係合用突起６３については図７〜図９で詳しく説明する。なお、その他の係合用突起はこれらの係合用突起と同一構成であり説明を省略する。
また、仮止め爪４９ｂ，５２については図１０〜図１１で詳しく説明する。なお、その他の仮止め爪はこれらの仮止め爪と同一構成であり説明を省略する。
【００２９】
図１に戻って、表面取付部材としての収容ケース６０は、各種メータ類、各種警告灯を収容する空間６１備えた略楕円形の収容体であり、この収容体の底部６２に一対の結合用突起６３，６３を備える。収容ケース６０を、セーフティパッド４０のケース受入部４４に配置する際に、底部６２をインパネ１１の収容部２２の底部３１に対向させ、底部６２の結合用突起６３，６３を底部３１の貫通孔３３，３３に挿入することができる。
【００３０】
図４は第１実施形態の空調用ダクトを示す斜視図である。
裏面取付部材としての空調用ダクト７０は、中央空調用ダクト７１、左右の空調用ダクト７２，７３からなる。中央空調用ダクト７１は、下端に供給口７４を備えるとともに、上端に一対の吹出し口７５，７５を備えた二股のダクトで、供給口７４側からインパネ１１（図１に示す）側に水平ステー７６を延ばし、水平ステー７６の端部に下結合フラップ７７を備え、一対の吹出し口７５，７５側にそれぞれ上結合フラップ７８，７８を備えた部材である。
【００３１】
左空調用ダクト７２は、内側下端に供給口８１を備えるとともに、外側上端に吹出し口８２を備えたダクトで、供給口８１側からインパネ１１側に水平ステー８３を延ばし、水平ステー８３の端部に下結合フラップ８４を形成し、吹出し口８２側に一対の上結合フラップ８５，８５を形成し、ダクト中央に中央上下の結合フラップ８６ａ，８６ｂを形成した部材である。
【００３２】
右空調用ダクト７３は、内側下端に供給口９１を備えるとともに、外側上端に吹出し口９２を備えたダクトで、供給口９１側からインパネ１１側に水平ステー９３を延ばし、水平ステー９３の端部に下結合フラップ９４を形成し、吹出し口９２側に一対の上結合フラップ９５，９５を形成し、ダクト中央に中央上下の結合フラップ９６ａ，９６ｂを形成した部材である。
【００３３】
図５は第１実施形態を構成する空調用ダクトの取付ける位置を示した説明図である。
中央空調用ダクト７１の上結合フラップ７８，７８は、インパネ１１の裏面で、かつ中央開口１５の上方に備えた一対の上中央部位１０１ａ，１０１ａにそれぞれ当接可能な当接片である。上中央部位１０１ａ，１０１ａには上貫通孔２４ａ，２４ａを含む。
【００３４】
中央空調用ダクト７１の下結合フラップ７７は、インパネ１１の裏面で、かつ中央開口１５の下方に備えた下中央部位１０１ｂに当接可能な当接片である。下中央部位１０１ｂは一対の下貫通孔２４ｂ，２４ｂを含む。
中央空調用ダクト７１の上結合フラップ７８，７８を上中央部位１０１ａ，１０１ａに当てるとともに、下結合フラップ７７を下中央部位１０１ｂに当てることで、一対の吹出し口４５，４５をインパネ１１の中央開口１５に臨ませることができる。
【００３５】
左空調用ダクト７２の下結合フラップ８４は、インパネ１１の裏面で、かつ下中央部位１０１ｂ左側の内側部位１０３に当接可能な当接片である。
左空調用ダクト７２の上結合フラップ９５，９５は、インパネ１１の裏面で、かつ左開口１６の上下に備えた外側上下の部位１０４ａ，１０４ｂに当接可能な当接片である。外側上下の部位１０４ａ，１０４ｂには、それぞれ上下の貫通孔２６ａ，２６ｂを含む。
【００３６】
左空調用ダクト７２の中央上下の結合フラップ８６ａ，８６ａは、インパネ１１の裏面で、かつ左受入れ凹部２１の上下の縁２１ａ，２１ｂに沿った上下の部位１０５ａ，１０５ｂに当接可能な当接片である。上下の部位１０５ａ，１０５ｂは、それぞれ上下の貫通孔２６ａ・・・，２６ｂ・・・を含む。
【００３７】
左空調用ダクト７２の下結合フラップ８４を内側部位１０３に当て、さらに一対の上結合フラップ８５，８５を外側上下の部位１０４ａ，１０４ｂに当て、加えて一対の中央結合フラップ８６，８６を上下の部位１０５ａ，１０５ａに当てることで、吹出し口８２をインパネ１１の左開口１６に臨ませることができる。
【００３８】
右空調用ダクト７３の下結合フラップ９４は、インパネ１１の裏面で、かつ下中央部位１０１ｂ右側の内側部位１０７に当接可能な当接片である。
右空調用ダクト７３の上結合フラップ９５，９５は、インパネ１１の裏面で、かつ右開口１７の上下に備えた外側上下の部位１０８ａ，１０８ｂに当接可能な当接片である。外側上下の部位１０８ａ，１０８ｂには、それぞれ上下の貫通孔２９ａ，２９ｂを含む。
【００３９】
右空調用ダクト７３の中央上下の結合フラップ９６ａ，９６ｂは、インパネ１１の裏面で、かつ収容部２２の底部開口３１ａの上下にそれぞれ沿った上下の部位１０９ａ，１０９ｂに当接可能な当接片である。上部位１０９ａには上貫通孔３２ａ・・・及び貫通孔３３，３３を含み、下部位１０９ｂには下貫通孔３２ｂ，３２ｂを含む。
【００４０】
右空調用ダクト７３の下結合フラップ９４を内側部位１０７に当て、さらに一対の上結合フラップ９５，９５を外側上下の部位１０８ａ，１０８ｂに当て、加えて一対の中央結合フラップ９６，９６を上下の部位１０９ａ，１０９ｂに当てることで、吹出し口９２をインパネ１１の右開口１７に臨ませることができる。
【００４１】
図６は本発明に係るインストルメントパネル取付部品の結合構造の斜視図であり、インパネ１１のパッド取付部１３にセーフティパッド４０を組付け、セーフティパッド４０のケース受入部４４に収容ケース６０を組付け、インパネ１１の裏面に中央空調用ダクト７１及び左右空調用ダクト７２，７３を組付けた状態を示す。
【００４２】
また、この図は、中央空調用ダクト７１の一対の吹出し口７５，７５をインパネ１１の中央開口１５を介してセーフティパッド４０のパッド中央開口４２に臨ませ、左空調用ダクト７２の吹出し口８２をインパネ１１の左開口１６を介してパッド左開口５１に臨ませ、右空調用ダクト７３の吹出し口９２を右開口１７を介してパッド左開口５６に臨ませた状態を示す。
【００４３】
図７（ａ），（ｂ）は第１実施形態の断面図であり、（ａ）は図６の７−７線断面を示し、（ｂ）は（ａ）の組付け前の状態を示す。
（ａ）に示すように、インパネ１１中央の上部位１０１ａ（インパネの裏面）には上貫通孔２４ａの上下位置にそれぞれ上凸部３５ａ，３５ａを備え、インパネ１１中央の下部位１０１ｂ（インパネの裏面）には下貫通孔２４ｂの上下位置にそれぞれ下凸部３５ｂ，３５ｂを備える。
【００４４】
セーフティパッド４０は、基材４０ａを成形する際に、基材４０ａの表面にウレタンフォーム４０ｂを一体成形したものである。基材４０ａは、オレフィン系の熱可塑性樹脂で形成した部材である。
【００４５】
（ｂ）において、インパネ１１中央の上下の貫通孔２４ａ，２４ｂにセーフティパッド４０の上下の結合用突起４６ａ，４６ｂを矢印▲１▼の如く差込む。次に、上下の結合用突起４６ａ，４６ｂ及び上下の凸部３５ａ，３５ｂのそれぞれの先端に、中央空調用ダクト７１の上下の結合フラップ７８，７７を矢印▲２▼の如く当接する。
この状態で、当接した部分を振動溶着することにより、（ａ）に示すようにインパネ１１の中央に、セーフティパッド４０の中央パッド部４１及び中央空調用ダクト７１を一体に組付ける。
【００４６】
図８（ａ），（ｂ）は第１実施形態の断面図であり、（ａ）は図６の８−８線断面を示し、（ｂ）は（ａ）の組付け前の状態を示す。
（ａ）に示すように、インパネ１１の左受入れ凹部２１の上部位１０１ａ（インパネの裏面）には上貫通孔２６ａの上下位置にそれぞれ上凸部３６ａ，３６ａを備え、インパネ１１の左受入れ凹部２１の下部位１０１ｂ（インパネの裏面）には下貫通孔２６ｂの上下位置にそれぞれ下凸部３６ｂ，３６ｂを備える。
【００４７】
（ｂ）において、インパネ１１の上下の貫通孔２６ａ，２６ｂにセーフティパッド４０の上下の結合用突起４８ａ，４８ｂを矢印の如く差込む。次に、上下の結合用突起４８ａ，４８ｂ及び上下の凸部３６ａ，３６ｂのそれぞれの先端に、左央空調用ダクト７２の中央上下の結合フラップ８６ａ，８６ｂを矢印の如く当接する。
この状態で、当接した部分を振動溶着することにより、（ａ）に示すようにインパネ１１の左受入れ凹部２１に、セーフティパッド４０の左パッド部４３及び左空調用ダクト７２を一体に組付ける。
【００４８】
図９（ａ），（ｂ）は第１実施形態の断面図であり、（ａ）は図６の９−９線断面を示し、（ｂ）は（ａ）の組付け前の状態を示す。
（ａ）に示すように、インパネ１１の収容部２２の上部位１０９ａ（インパネの裏面）には上貫通孔３２ａ及び貫通孔３３を避けて３列の上凸部３７ａ・・・を備え、インパネ１１の収容部２２の下部位１０１ｂ（インパネの裏面）には下貫通孔３２ｂの上下位置にそれぞれ下凸部３７ｂ，３７ｂを備える。
【００４９】
（ｂ）において、インパネ１１の上下の貫通孔３２ａ，３２ｂにセーフティパッド４０の上下の結合用突起５４ａ，５４ｂを矢印▲３▼の如く差込む。次に、インパネ１１の貫通孔３３に収容ケース６０の結合用突起６３を矢印▲４▼の如く差込む。
【００５０】
次いで、上下の結合用突起５４ａ，５４ｂ、結合用突起６３及び上下の凸部３７ａ，３７ｂのそれぞれの先端に、右央空調用ダクト７３の中央上下の結合フラップ９６ａ，９６ｂを矢印▲５▼の如く当接する。
この状態で、当接した部分を振動溶着することにより、（ａ）に示すようにインパネ１１の収容部２２に、セーフティパッド４０のケース受入部４４、収容ケース６０及び右空調用ダクト７３を一体に組付ける。
【００５１】
以上説明したように、インパネ１１に複数の貫通孔２４ａ，２４ｂ，２６ａ，２６ｂ，２９ａ，２９ｂ，３２ａ，３２ｂ，３３を開け、インパネ１１の表裏に各々配置するセーフティパッド４０と空調用ダクト７０とを貫通孔２４ａ，２４ｂ，２６ａ，２６ｂ，３２ａ，３２ｂ，３３を介して結合することができる。
【００５２】
このように、突合せた両部材４０，７０を結合することで、セーフティパッド４０と空調用ダクト７０とでインパネ１１を挟込み、セーフティパッド４０、空調用ダクト７０及びインパネ１１を一体に組付けることができる。従って、セーフティパッド４０及び空調用ダクト７０を１工程で同時にインパネ１１に組付けることができるので、組付け作業にかける手間を減らすことができる。
【００５３】
加えて、インパネ１１に複数の貫通孔２４ａ，２４ｂ，２６ａ，２６ｂ，２９ａ，２９ｂ，３２ａ，３２ｂ，３３を開けるだけでセーフティパッド４０及び空調用ダクト７０を組付けることができるので、インパネ１１の形状の簡略化を図ることができる。このように、インパネ１１を簡略化することで、設計の自由度を高めることができ、設計にかける時間を短くすることができる。
【００５４】
図１０（ａ），（ｂ）は第１実施形態の断面図であり、（ａ）は図６の１０−１０線断面を示し、（ｂ）は（ａ）の組付け前の状態を示す。
（ａ）に示すように、セーフティパッド４０の左パッド部４３の左端には仮止め爪５２を備え、この仮止め爪５２の先端には係止部５２ａを備える。係止部５２ａはテーパ状に張出している。
【００５５】
（ｂ）において、インパネ１１の仮止め孔２８にセーフティパッド４０の仮止め爪５２を矢印の如く差込む。この際、仮止め爪５２の係止部５２ａが仮止め孔２８の周縁に当接するが、仮止め爪５２が湾曲状に弾性変形することで、係止部５２ａが仮止め孔２８を通過する。
【００５６】
係止部５２ａが仮止め孔２８を通過した後、仮止め爪５２が弾性変形前の状態に戻り、（ａ）に示すように係止部５２ａが仮止め孔２８の周縁に係止する。これにより、インパネ１１の左端にセーフティパッド４０の左端を仮止めすることができる。
なお、図３に示す仮止め爪５７は仮止め爪５２と同一構成であり、仮止め爪５７の説明は省略する。
【００５７】
図１１（ａ），（ｂ）は第１実施形態の断面図であり、（ａ）は図６の１１−１１線断面を示し、（ｂ）は（ａ）の組付け前の状態を示す。
（ａ）に示すように、セーフティパッド４０の左パッド部４３には下仮止め爪４９ｂを備え、この下仮止め爪４９ｂの先端には係止部４９ｃを備える。係止部４９ｃはテーパ状に張出している。
【００５８】
（ｂ）において、インパネ１１の下仮止め孔２７ｂにセーフティパッド４０の下仮止め爪４９ｂを矢印の如く差込む。この際、下仮止め爪４９ｂの係止部４９ｃが下仮止め孔２７ｂの周縁に当接するが、下仮止め爪４９ｂが湾曲状に弾性変形することで、係止部４９ｃが下仮止め孔２７ｂを通過する。
【００５９】
係止部４９ｃが下仮止め孔２７ｂを通過した後、下仮止め爪４９ｂが弾性変形前の状態に戻り、（ａ）に示すように係止部４９ｃが下仮止め孔２７ｂの周縁に係止する。これにより、インパネ１１にセーフティパッド４０の左パッド部４３を仮止めすることができる。
なお、図３に示す仮止め爪４７，４９ａは仮止め爪４９ｂと同一構成であり、仮止め爪４７，４９ａの説明は省略する。
【００６０】
以上説明したように、セーフティパッド４０から仮止め爪４７，４９ａ，４９ｂ，５２，５７及び結合用突起４６ａ，４６ｂ，４８ａ，４８ｂ，５４ａ，５４ｂ，５５ａ，５５ｂを突出させ、仮止め爪４７，４９ａ，４９ｂ，５２，５７を貫通孔２４ａ，２４ｂ，２６ａ，２６ｂ，２９ａ，２９ｂ，３２ａ，３２ｂ，３３に掛け止めすることでセーフティパッド４０をインパネ１１に仮止めすることができる。このため、インパネ１１を簡単に仮止めすることができる。
【００６１】
この仮止めと同時に、結合用突起４６ａ，４６ｂ，４８ａ，４８ｂ，５４ａ，５４ｂ，５５ａ，５５ｂを貫通孔２４ａ，２４ｂ，２６ａ，２６ｂ，２９ａ，２９ｂ，３２ａ，３２ｂ，３３を介して裏へ突出させることができる。従って、結合用突起４６ａ，４６ｂ，４８ａ，４８ｂ，５４ａ，５４ｂ，５５ａ，５５ｂの先端を空調用ダクト７０に簡単に結合することができる。
【００６２】
図１２は図９（ａ）の１２部拡大図であり、上結合用突起５４ａ、結合用突起６３及び上凸部３７ａ・・・のそれぞれの先端に、右央空調用ダクト７３の中央上結合フラップ９６ａを当接し、それぞれの当接部を振動溶着することにより、振動溶着部１１０・・・とした状態を示す。
【００６３】
インパネ１１にセーフティパッド４０や空調用ダクト７０などを振動溶着で結合することで、リベットやビスなどの取付部材を不要にして構成部品数を減らすことができる。
このため、インパネ１１にセーフティパッド４０や空調用ダクト７０などを同時にインパネ１１に組付けることができるので、組付作業にかける手間を減らすことができる。
さらに、インパネ１１にセーフティパッド４０や空調用ダクト７０などを振動溶着で結合することで、例えばリベットやビスなどの金属製部品が不要になり、リサイクルが容易になる。
【００６４】
セーフティパッド４０の上結合用突起５４ａを右空調用ダクト７３の上中央フラップ９６ａに振動溶着で結合することで、セーフティパッド４０と右空調用ダクト７３の上中央フラップ９６ａとでインパネ１１を挟持することができる。
加えて、右空調用ダクト７３の上中央フラップ９６ａをインパネ１１の凸部３８ａ・・・に振動溶着で結合することで、セーフティパッド４０、右空調用ダクト７３及びインパネ１１を強固に組付けることができる。
なお、図１２では右空調用ダクト７３について説明したが、中央空調用ダクト７１及び左空調用ダクト７２についても同様である。
【００６５】
図１３は第１実施形態の要部断面図である。
セーフティパッド４０の上結合用突起５４ａを上貫通孔３２ａに差込んだ状態において、上結合用突起５４ａがインパネ１１の上部位１０９ａから突出する突出量をＨ１とする。
一方、インパネ１１の上凸部３７ａが上部位１０９ａから突出する突出量をＨ２とする。ここで、上結合用突起５４ａの突出量Ｈ１と上凸部３７ａの突出量Ｈ２との関係を、Ｈ１＞Ｈ２と設定する。
すなわち、インストルメントパネル取付部品の結合構造１０は、振動溶着前のセーフティパッド４０の上結合用突起５４ａを上貫通孔３２ａに差込んだ状態において、上凸部（凸部）３７ａより上結合用突起（結合用突起）５４ａを大きく突出させるように構成した。
【００６６】
なお、収納ケース６０の結合用突起６３を貫通孔３３に差込んだ状態において、結合用突起６３がインパネ１１の上部位１０９ａから突出する突出量をＨ１とする。
【００６７】
図１４は第１実施形態の要部断面図である、
セーフティパッド４０の上結合用突起５４ａ及び収納ケース６０の結合用突起６３のそれぞれの先端に右央空調用ダクト７３の中央上結合フラップ９６ａを当接した状態を示す。
この状態で、それぞれの当接部を振動溶着する際に、上結合用突起５４ａの先端及び結合用突起６３の先端を溶かし、上結合用突起５４ａの突出量Ｈ１及び結合用突起６３の突出量Ｈ１を小さくすることができる。
【００６８】
このため、右央空調用ダクト７３の中央上結合フラップ９６ａをインパネ１１の上凸部３７ａの先端に当接し、中央上結合フラップ９６ａに上凸部３７ａを振動溶着することができる。これにより、図１２に示すように上結合用突起５４ａ、結合用突起６３及び上凸部３７ａ・・・のそれぞれの先端に、右央空調用ダクト７３の中央上結合フラップ９６ａを振動溶着することができる。
【００６９】
ここで、上結合用突起５４ａの突出量を上凸部３７ａの突出量より大きく設定することで、右央空調用ダクト７３の中央上結合フラップ９６ａをセーフティパッド４０の上結合用突起５４ａに確実に振動溶着させることができる。
セーフティパッド４０の上結合用突起５４ａと右央空調用ダクト７３の中央上結合フラップ９６ａとを振動溶着することで、セーフティパッド４０と右央空調用ダクト７３とでインパネ１１を挟み込んだ状態に保持できるので、この場合でも、インパネ１１、セーフティパッド４０及び右央空調用ダクト７３を一体に組付けることができる。
【００７０】
このように、Ｈ１＞Ｈ２とすることで、上結合用突起５４ａ及び上凸部３７ａの精度を比較的ラフに設定しても、インパネ１１、セーフティパッド４０及び右央空調用ダクト７３を一体に組付けることができる。
このため、インパネ１１やセーフティパッド４０の製造工程を簡単にすることができる。
【００７１】
加えて、上結合用突起５４ａが振動溶着する際に上結合用突起５４ａの先端が溶けて、上結合用突起５４ａの突出量を小さくすることができる。このため、中央上結合フラップ９６ａを上凸部３７ａの先端に当接させて、中央上結合フラップ９６ａを上凸部３７ａに振動溶着させることができる。
【００７２】
図１３に戻って、上結合用突起５４ａがインパネ１１の上部位１０９ａから突出する突出量をＨ１と、インパネ１１の上凸部３７ａが上部位１０９ａから突出する突出量をＨ２との関係はＨ１＞Ｈ２に限らない。その他の例としては、Ｈ１＝Ｈ２と設定することも可能である。
【００７３】
この場合でも、図１４で説明した効果と同様の効果を得ることができる。但し、この場合は、製造誤差により、Ｈ１＜Ｈ２になることが考えられるので、上結合用突起５４ａや上凸部３７ａの精度を高める必要がある。
なお、万が一、Ｈ１＜Ｈ２となった場合でも、振動溶着の際に上凸部３７ａは溶けて突出量Ｈ２より小さくなる。このため、上凸部３７ａと一緒に上結合用突起５４ａを中央上結合フラップ９６ａに振動溶着させることができる。
【００７４】
次に、インストルメントパネル取付部品の結合構造の第２実施形態を図１５に基づいて説明する。
図１５は本発明に係るインストルメントパネル取付部品の結合構造（第２実施形態）の断面図である。
インストルメントパネル取付部品の結合構造１２０は、第１実施形態と同様に、車両（図示しない）の車室前側に備えるインパネ１２１と、このインパネ１２１の表面（車室側面）に組付けるセーフティパッド（表面取付部材）１３０と、インパネ１２１の裏（エンジンルーム側面）に取付ける空調用ダクト（裏面取付部材）１３５とからなる。
なお、１３８は、インパネ１２１に開閉自在に取付けたリッドである。
【００７５】
インパネ１２１の上部位１２２ａ（インパネの裏面）には上貫通孔１２３ａの上下位置にそれぞれ上凸部１２４ａ，１２４ａを備え、インパネ１２１の下部位１２２ｂ（インパネの裏面）には下貫通孔１２３ｂの上下位置にそれぞれ下凸部１２４ｂ，１２４ｂを備える。
加えて、インパネ１２１の下端には仮止め溝１２５を備えるとともに、仮止め溝１２５に係止孔１２５ａを備える。
【００７６】
また、セーフティパッド１３０の上下端には、それぞれ上下の係合用突起１３１ａ，１３１ｂを備えるとともに、セーフティパッド１３０の下端には係止爪１３２を備え、係止爪１３２には係止片１３２ａを備える。
【００７７】
インストルメントパネル取付部品の結合構造１２０を組付ける際には、先ずインパネ１２１の上下の貫通孔１２３ａ，１２３ｂにセーフティパッド１３０の上下の結合用突起１３１ａ，１３１ｂを差込むとともに、インパネ１２１の仮止め溝１２５にセーフティパッド１３０の仮止め爪１３２を差込んで仮止め爪１３２の係止片１３２ａを係止孔１２５ａに係止させる。
これにより、インパネ１２１にセーフティパッド１３０を仮止めすることができる。
【００７８】
次に、上下の結合用突起１３１ａ，１３１ｂ、上下の凸部１２４ａ，１２４ｂのそれぞれの先端に、空調用ダクト１３５の上下の結合フラップ１３６ａ，１３６ｂを当接する。
この状態で、当接した部分を振動溶着することにより、インパネ１２１に、セーフティパッド１３０及び空調用ダクト１３５を一体に組付けることができる。
第２実施形態によれば、第１実施形態と同様の効果を得ることができる。
【００７９】
なお、前記実施形態では、インパネ、セーフティパッド及び空調用ダクトを振動溶着で結合させた例について説明したが、その他の熱溶着などで各々の部材を結合することも可能である。
【００８０】
また、前記実施形態では、インパネ、セーフティパッド、収容ケース及び空調用ダクトを、それぞれオレフィン系の熱可塑性樹脂で形成した例について説明したが、その他の熱可塑性樹脂を使用してもよい。但し、オレフィン系の熱可塑性樹脂を使用することでリサイクルが容易になるという利点がある。
【００８１】
さらに、前記実施の形態では、インパネの表に組付ける表面取付部材としてセーフティパッドや収容ケースを例に説明し、インパネの裏に取付ける裏面取付部材として空調用ダクトを例に説明したが、表面取付部材や裏面取付部材はこれらの部材に限らない。
【００８２】
また、前記実施形態では、セーフティパッドに結合用突起を設け、この結合用突起を空調用ダクトのフラップに結合させた例について説明したが、これに限らないで、空調用ダクトのフラップに結合用突起を設け、この結合用突起をセーフティパッドに結合させることも可能である。
加えて、係合用突起や仮止め爪の配置箇所は、インパネ、セーフティパッドや空調用ダクトの形状に応じて適宜決めることができる。
【００８３】
インパネの裏面に凸部を備え、この凸部の先端を空調用ダクトのフラップに振動溶着させる例について説明したが、これに限らないで、インパネの裏面に凸部を備えないようにすることも可能である。
この場合、セーフティパッドと空調用ダクトとでインパネ１１を挟込むことで、セーフティパッド４０、空調用ダクト７０及びインパネ１１を一体に組付けることができる。
【００８４】
【発明の効果】
本発明は上記構成により次の効果を発揮する。
請求項１は、インストルメントパネルに複数の貫通孔を開けることで、表面取付部材及び裏面取付部材のいずれか一方の部材を、貫通孔を介して他方の部材側に突合せることができる。突合せた両部材を結合することで、表面取付部材と裏面取付部材とでインストルメントパネルを挟込み、表面取付部材、裏面取付部材及びインストルメントパネルを一体に組付けることができる。
このように、表面取付部材及び裏面取付部材を１工程で同時にインストルメントパネルに組付けることができるので、組付け作業にかける手間を減らすことができる。
【００８５】
加えて、インストルメントパネルに複数の貫通孔を開けるだけで表面取付部材及び裏面取付部材を組付けることができるので、インストルメントパネルの形状の簡略化を図ることができる。
このように、インストルメントパネルを簡略化することで、設計の自由度を高めることができ、設計にかける時間を短くすることができる。
【００８６】
さらに、表面取付部材の仮止め爪を貫通孔に掛け止めすることで、表面取付部材をインストルメントパネルに仮止めすることができる。このため、表面取付部材を簡単に仮止めすることができるので、表面取付部材の結合用突起を裏面取付部材により簡単に結合することができる。
【００８７】
加えて、結合用突起の先端と裏面取付部材とを振動溶着で結合することで、リベットやビスなどの取付部材を不要にして構成部品数を減らす。このため、表面取付部材及び裏面取付部材を結合する際に組付工数を減らし、表面取付部材及び裏面取付部材を１工程で同時にインストルメントパネルに組付けることができるので、組付作業にかける手間を減らすことができる。
さらに、表面取付部材と裏面取付部材とを振動溶着で結合することで、例えばリベットやビスなどの金属製部品が不要になり、リサイクルが容易になる。
【００８８】
請求項２は、表面取付部材の結合用突起を裏面取付部材に振動溶着で結合することで、表面取付部材と裏面取付部材とでインストルメントパネルを挟み込んで支えることができる。これにより、表面取付部材、裏面取付部材及びインストルメントパネルを一体に組付けることができる。
加えて、振動溶着の際に同時に、インストルメントパネルの凸部を裏面取付部材に振動溶着で結合することができるので、表面取付部材、裏面取付部材及びインストルメントパネルを強固に組付けることができる。
【００８９】
また、結合用突起の突出高さを凸部より大きく突出させることで、結合用突起の先端を裏面取付部材に簡単に突き当てることができる。このため、結合用突起を裏面取付部材に手間をかけないで簡単に振動溶着で結合することができるので、組付け作業にかける手間を減らすことができる。
【図面の簡単な説明】
【図１】本発明に係るインストルメントパネル取付部品の結合構造（第１実施形態）の分解斜視図
【図２】第１実施形態のインストルメントパネルを示す斜視図
【図３】第１実施形態のセーフティパッドを示す斜視図
【図４】第１実施形態の空調用ダクトを示す斜視図
【図５】第１実施形態を構成する空調用ダクトの取付ける位置を示した説明図
【図６】本発明に係るインストルメントパネル取付部品の結合構造の斜視図
【図７】第１実施形態の断面図
【図８】第１実施形態の断面図
【図９】第１実施形態の断面図
【図１０】第１実施形態の断面図
【図１１】第１実施形態の断面図
【図１２】図９（ａ）の１２部拡大図
【図１３】第１実施形態の要部断面図
【図１４】第１実施形態の要部断面図
【図１５】本発明に係るインストルメントパネル取付部品の結合構造（第２実施形態）の断面図
【符号の説明】
１０，１２０…インストルメントパネル取付部品の結合構造、１１，１２１…インパネ、２４ａ，２６ａ，２９ａ，３２ａ，１２３ａ…上貫通孔（貫通孔）、２４ｂ，２６ｂ，２９ｂ，３２ｂ，１２３ｂ…下貫通孔（貫通孔）、３３…貫通孔、３５ａ，３６ａ，３７ａ，１２４ａ…上凸部（凸部）、３５ｂ，３６ｂ，３７ｂ，１２４ｂ…下凸部（凸部）、４０，１３０…セーフティパッド（表面取付部材）、４７，５２，５７，１３２…仮止め爪、４９ａ…上仮止め爪（仮止め爪）、４９ｂ…下仮止め爪（仮止め爪）、４６ａ，４８ａ，５４ａ，５５ａ，１３１ａ…上結合用突起（結合用突起）、４６ｂ，４８ｂ，５４ｂ，５５ｂ，１３１ｂ…下結合用突起（結合用突起）、７０，１３５…空調用ダクト（裏面取付部材）。
【図１】
0003737386.tif 000002
【図２】
0003737386.tif 000003
【図３】
0003737386.tif 000004
【図４】
0003737386.tif 000005
【図５】
0003737386.tif 000006
【図６】
0003737386.tif 000007
【図７】
0003737386.tif 000008
【図８】
0003737386.tif 000009
【図９】
0003737386.tif 000010
【図１０】
0003737386.tif 000011
【図１１】
0003737386.tif 000012
【図１２】
0003737386.tif 000013
【図１３】
0003737386.tif 000014
【図１４】
0003737386.tif 000015
【図１５】
0003737386.tif 000016